(57)【特許請求の範囲】
【請求項１】
カラオケ歌唱のための楽曲データを備え、所定の楽曲データに基づき所定の歌唱区間毎に反復再生を行うカラオケ装置であって、
利用者により指定された楽曲データに基づいて、当該楽曲の所定の歌唱区間毎に、基準歌唱者に歌唱させるカラオケ演奏を制御すると共に当該楽曲データに含まれる歌唱歌詞データの演奏の進行に伴う色変え表示を制御し、続いて同じ歌唱区間を所定数の比較歌唱者に繰り返して歌唱させるカラオケ演奏及び歌唱歌詞データの色変え表示を制御する反復再生制御手段と、
前記基準歌唱者による歌唱の音声信号から、少なくとも歌唱の音量及び音高を検出してリファレンスデータを生成するリファレンスデータ生成手段と、
前記比較歌唱者による歌唱の音声信号から、少なくとも歌唱の音量及び音高を検出し、前記リファレンスデータ生成手段で生成されたリファレンスデータと比較して評価する比較評価処理手段と、
を有することを特徴とするカラオケ装置。
【請求項２】
請求項１記載のカラオケ装置であって、前記反復再生制御手段は、設定された前記比較歌唱者の人数に応じて、前記基準歌唱者の歌唱区間の歌唱に続いて当該比較歌唱者の歌唱する同じ歌唱区間のカラオケ演奏及び歌唱歌詞データの色変え表示の制御を繰り返すことを特徴とするカラオケ装置。
【請求項３】
請求項１又は２記載のカラオケ装置であって、前記反復再生制御手段は、一の歌唱区間の再生の度に、歌唱歌詞データの色変えの表示形態を変えて表示制御することを特徴とするカラオケ装置。
【請求項４】
請求項１乃至３の少なくとも何れかに記載のカラオケ装置であって、前記反復再生制御手段は、一の歌唱区間の再生の度に、演奏テンポを設定し直してカラオケ演奏を制御することを特徴とするカラオケ装置。
【発明の詳細な説明】
【技術分野】
【０００１】
本発明は、カラオケ楽曲の再生の他に楽曲における所定区間毎の反復再生する機能を備えるカラオケ装置に関する。
【背景技術】
【０００２】
近年、カラオケ装置の高性能化、高機能化に伴い、カラオケ楽曲の再生の他に、例えば所望の歌唱区間を反復して再生させることも可能となってきている。このような反復再生においては利用者一個人の便に資するだけでなく、複数の利用者による反復再生機能の利用可能性をも提供することが望まれる。
【０００３】
従来、反復再生機能を備えるカラオケ装置として、例えば特許文献１のように、利用者がカラオケ演奏のリピート開始タイミングやスキップ先を歌詞文字単位で指定させることにより、利用者に対してうまく歌唱できない区間について繰り返し歌唱して練習させるための技術が知られている。
【０００４】
また、利用者の歌唱練習に利用させるカラオケ装置として、特許文献２のように、ガイドボーカル用に収録された原曲歌手の歌唱をお手本とするもので、原曲歌手の歌唱信号から抽出された音高、音量と歌唱練習者の歌唱信号から抽出された音高、音量とを比較して歌唱練習者の歌唱を評価する技術も知られている。
【０００５】
一方、歌唱を評価する技術として、例えば特許文献３のように、デュエット曲の歌唱のような２本のマイクロホンから入力される音声信号からそれぞれの音高や音量を独立して抽出し、異なる歌唱パートのリファレンスデータの音高や音量と比較評価し、歌唱者毎に採点する技術も知られている。
【先行技術文献】
【特許文献】
【０００６】
【特許文献１】特開２０００−３３０５７７号公報
【特許文献２】特開平０６−２９５１９３号公報
【特許文献３】特開平１０−０７４０９３号公報
【発明の概要】
【発明が解決しようとする課題】
【０００７】
ところで、伝統的な声楽のレッスンでは、まず先生がピアノを演奏しながら自分で歌唱して生徒に手本を聴かせ、続いて生徒が先生のピアノ伴奏に合わせて同じ歌唱区間を歌唱して先生からアドバイスを受ける、ということを繰り返すことが行われ、またカラオケ教室においては楽曲の伴奏だけを収録した市販のＣＤ音源などの再生に合わせて歌唱した生徒に対して講師がアドバイスを与え、また講師自身が歌唱して手本を聴かせて生徒の理解が深まるようにしている。一方で、主として夜間に営業するカラオケスナックなどの飲食店において、設置された業務用通信カラオケ装置を有効活用するために、昼間にカラオケ装置を利用したカラオケ教室を開くということも増えてきている。
【０００８】
このような歌唱練習を例として、特許文献１に記載されている技術を用いたカラオケ装置では、あくまでも歌唱練習者が自身の要望に基づいて任意の歌唱区間を何度も繰り返して練習するためのものであり、歌唱区間を指定する度に演奏を中断させる必要もある。また、歌唱指導者の歌唱とその直後の歌唱練習者の歌唱とを客観的に比較できればさらに効果的であるが、特許文献２に記載されている技術を用いたカラオケ装置は予めＣＤ等に収録された原曲歌手の歌唱信号をお手本として歌唱練習者の歌唱と比較するものであり、その場にいる歌唱指導者のお手本歌唱通りに歌唱できたか否かを評価することができない。さらに、特許文献３に記載されている技術を用いたカラオケ装置は、歌唱指導者と歌唱練習者の２人の歌唱を独立して採点することにより比較することができるが、それぞれの歌唱に対してリファレンスデータ（お手本）を用意する必要があり、先行して歌唱する歌唱指導者の歌唱を基準として歌唱練習者の歌唱を評価することはできない。
【０００９】
そこで、本発明は上記課題に鑑みなされたもので、伝統的な声楽レッスンのような歌唱練習用としての反復再生と共に、複数の利用者による反復再生の新たな利用形態をも可能とするカラオケ装置を提供することを目的とする。
【課題を解決するための手段】
【００１０】
上記課題を解決するために、請求項１の発明では、カラオケ歌唱のための楽曲データを備え、所定の楽曲データに基づき所定の歌唱区間毎に反復再生を行うカラオケ装置であって、利用者により指定された楽曲データに基づいて、当該楽曲の所定の歌唱区間毎に、基準歌唱者に歌唱させるカラオケ演奏を制御すると共に当該楽曲データに含まれる歌唱歌詞データの演奏の進行に伴う色変え表示を制御し、続いて同じ歌唱区間を所定数の比較歌唱者に繰り返して歌唱させるカラオケ演奏及び歌唱歌詞データの色変え表示を制御する反復再生制御手段と、前記基準歌唱者による歌唱の音声信号から、少なくとも歌唱の音量及び音高を検出してリファレンスデータを生成するリファレンスデータ生成手段と、前記比較歌唱者による歌唱の音声信号から、少なくとも歌唱の音量及び音高を検出し、前記リファレンスデータ生成手段で生成されたリファレンスデータと比較して評価する比較評価処理手段と、を有する構成とする。
【００１１】
請求項２〜４の発明では、「前記反復再生制御手段は、設定された前記比較歌唱者の人数に応じて、前記基準歌唱者の歌唱区間の歌唱に続いて当該比較歌唱者の歌唱する同じ歌唱区間のカラオケ演奏及び歌唱歌詞データの色変え表示の制御を繰り返す」構成とし、
「前記反復再生制御手段は、前記表示手段に対し、一の歌唱区間の再生の度に、歌唱歌詞データの色変えの表示形態を変えて表示制御する」構成とし、
「前記反復再生制御手段は、一の歌唱区間の再生の度に、演奏テンポを設定し直してカラオケ演奏を制御する」構成とする。
【発明の効果】
【００１２】
請求項１の発明によれば、利用者により指定された楽曲データに基づいて、当該楽曲の所定の歌唱区間毎に、基準歌唱者に歌唱させるカラオケ演奏及び当該楽曲データに含まれる歌唱歌詞データの演奏の進行に伴う色変え表示を制御し、続いて同じ歌唱区間を所定数の比較歌唱者に繰り返して歌唱させるカラオケ演奏及び歌唱歌詞データの色変え表示を制御するもので、基準歌唱者による歌唱の音声信号からリファレンスデータを生成し、続いて比較歌唱者による歌唱の音声信号と生成されたリファレンスデータとを比較して評価する構成とすることにより、カラオケ演奏を所定の歌唱区間毎に基準歌唱者の歌唱と比較歌唱者の歌唱とで繰り返して基準歌唱者の歌唱と比較歌唱者の歌唱とを比較評価することで比較歌唱者が基準歌唱者の歌唱通りに歌唱できたかどうかを確認することができ、基準歌唱者の歌唱を基準とする伝統的な声楽レッスンのような歌唱練習用としての利用形態と共に、複数の比較歌唱者同士の歌唱評価を比較する歌唱ゲームとしての利用形態をも新たに提供することができるものである。
【００１３】
請求項２の発明によれば、設定された比較歌唱者の人数に応じて、基準歌唱者の歌唱区間の歌唱に続いて当該比較歌唱者の歌唱する同じ歌唱区間のカラオケ演奏及び歌唱歌詞データの色変え表示の制御を繰り返す構成とすることにより、基準歌唱者と比較歌唱者とが交互に歌唱し易くさせることができるものである。
【００１４】
請求項３の発明によれば、一の歌唱区間の再生の度に、歌唱歌詞データの色変えの表示形態を変えて表示制御する構成とすることにより、複数の歌唱者のそれぞれにおいて自己が歌唱する順番を把握することができるものである。
【００１５】
請求項４の発明によれば、一の歌唱区間の再生の度に、演奏テンポを設定し直してカラオケ演奏を制御する構成とすることにより、比較歌唱者がお手本の歌唱を聴き易いテンポで聴き、自己が歌唱し易いテンポで歌唱することができるものである。
【図面の簡単な説明】
【００１６】
【図１】本発明に係るカラオケ装置のブロック構成図である。
【図２】図１の遠隔入出力装置による反復再生のモード選択に関する説明図である。
【図３】本発明に係るカラオケ装置における第１実施形態としての反復再生による歌唱教習のフローチャートである。
【図４】図３の歌唱者識別に対する他の形態の一部ブロック構成図である。
【図５】本発明に係るカラオケ装置における反復再生の第２実施形態のモード選択に関する説明図である。
【図６】本発明に係るカラオケ装置における第２実施形態としての反復再生によるゲーム態様のフローチャートである。
【発明を実施するための形態】
【００１７】
以下、本発明の実施形態を図により説明する。
図１に、本発明に係るカラオケ装置のブロック構成図を示す。図１において、カラオケ装置１１は、主要装置としてのカラオケ本体１２に、有線又は無線で外部接続されるものとして、表示部１３、ミキシングアンプ１４、所定数のマイク１５、スピーカ１６、遠隔入出力装置１７が接続されることで構成される。ここで、マイク１５は任意数備えられるものであるが、この実施形態では２本のマイク１５が用意され、それぞれの音声信号を一系統でミキシングアンプ１４及びカラオケ本体１２に出力するものとしている（マイク使用形態については図３で説明する）。
【００１８】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、２本のマイク１５からそれぞれ有線又は無線で入力される音声信号をミキシングし、増幅してスピーカ１６より出力する。
【００１９】
上記遠隔入出力装置１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくとも楽曲検索手段である選曲楽曲登録手段１７Ａ及びリモコン表示部１７Ｃを適宜備え、当該選曲楽曲登録手段１７Ａにはカラオケモード及び反復再生モードを選択させるモード選択手段１７Ｂを備える。なお、図示しないが会員向けにログイン・ログアウト処理手段を備えている。
【００２０】
上記選曲楽曲登録手段１７Ａは、図２で説明するが歌唱モード（カラオケモード、反復再生モード）を選択するモード選択手段１７Ｂのプログラムを備え、楽曲ＩＤや曲名、アーチスト名などのデータからなるテーブルに基づいて、利用者が所望する楽曲を検索させ、選曲された楽曲の楽曲ＩＤを選択された歌唱モードの情報信号と共にカラオケ本体１２に送信するプログラムである。送信された楽曲ＩＤは、選択した歌唱モード情報がカラオケモードの場合には後述のカラオケ本体１２におけるＲＡＭ２３の予約待ち行列４１に登録され、反復再生モードの場合にはカラオケ本体１２の反復再生制御手段３１に送られる。
【００２１】
上記リモコン表示部１７Ｃは、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００２２】
上記カラオケ本体１２は、バス２０、中央制御部２１、ＲＯＭ２２、ＲＡＭ２３、映像表示制御手段２４、音楽演奏制御部２５、音源（シンセサイザ）２６、音声信号入力部２７、採点手段２８、送受信部２９、記憶部３０、反復再生制御手段３１、リファレンスデータ生成手段３２及び比較評価処理手段３３を備える。音楽演奏制御部２５及び音源（シンセサイザ）２６によりいわゆる再生手段が構成される。
【００２３】
上記ＲＡＭ２３には予約待ち行列４１及び生成リファレンスデータ４２の記憶領域が形成される。また、記憶部３０には、楽曲データベース（楽曲ＤＢ）５１、映像データベース（映像ＤＢ）５２及びリファレンスデータベース（リファレンスＤＢ）５３が記憶される。なお、上記各構成について、本発明の要旨と直接関連しない要素部分であっても、従前のカラオケシステムにおいても大部分が適用可能であることを示すために、構成要素の全体を説明する。
【００２４】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１及び生成リファレンスデータ４２の記憶領域が形成される他に、上記種々のプログラムを展開、実行させるための作業領域としての役割をなすもので、例えば半導体メモリで構成され、仮想的にハードディスク上に構築される場合をも含む概念である。
【００２５】
上記映像表示制御手段２４は、カラオケモードの演奏時に映像ＤＢ５２より抽出された背景映像及び楽曲ＤＢ５１より抽出された楽曲の歌唱歌詞データ（色変え情報を含む）を表示部１３に出力し、また反復再生モードの演奏時に反復再生制御手段３１からの歌唱歌詞データ（反復再生制御手段３１で制御される色変え情報を含む）を表示部１３に出力し、さらに比較評価処理手段３３からの評価情報を表示部１３に出力するプログラム乃至電子回路である。反復再生制御手段３１での歌唱歌詞データの色変え制御については後述する。
【００２６】
上記音楽演奏制御部２５は、例えばシーケンスプログラムを備え、楽曲データの音符データに従って音源（シンセサイザ）２６を駆動するもので、当該音源２６の出力は演奏信号としてミキシングアンプ１４に出力される。カラオケモードの場合には中央制御部２１の指令に基づきＲＡＭ２３の予約待ち行列４１に登録された楽曲（楽曲ＩＤ）の楽曲データを楽曲ＤＢ５１より抽出して再生し、反復再生モードの場合には反復再生制御手段３１から送られてくる演奏データを再生する。反復再生制御手段３１での演奏制御については後述する。
【００２７】
上記音声信号入力部２７は、マイク１５から入力される音声信号をＡ／Ｄ変換する電子回路であり、Ａ／Ｄ変換した音声信号はカラオケモードの場合には採点手段２８に供され、反復再生モードの場合にはリファレンスデータ生成手段３２、比較評価処理手段３３に供される。
【００２８】
上記採点手段２８は、カラオケモード時に、歌唱音声の音量及び音高を検出して後述の楽曲ごとの主旋律のリファレンスデータの少なくとも音量及び音高（歌唱タイミングを含ませてもよい）と比較することにより採点するもので、音声信号入力部２７でマイク１５から入力されＡ／Ｄ変換された音声信号を、歌唱採点するためのリファレンスデータに基づいて採点処理を行うプログラムである。具体的には、例えば特許第４２２２９１５号公報に記載されている手法を用いることができる。
【００２９】
上記送受信部２９は、遠隔入出力装置１７との間で有線方式ないし無線方式（ＩＲ方式やブルートゥース（登録商標）機構のピコネット接続方式など）を利用してデータ授受を行うためのもので、そのための電子回路及びプログラムである。
【００３０】
上記記憶部３０に記憶されている楽曲ＤＢ５１は、楽曲毎に、音符データ、歌唱歌詞データ（色変え情報を含む）などを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の演奏データ（例えば、ＭＩＤＩ（登録商標）形式の旋律パートの音符ごとの楽譜データ）等で構成される楽曲データ（ファイル）について当該楽曲ＩＤをファイル名としてそれぞれ格納したデータベースである。上記記憶部３０に記憶されている映像ＤＢ５２は、楽曲毎に応じた背景映像データについて楽曲ＩＤをファイル名としてそれぞれ格納したデータベースである。
【００３１】
上記記憶部３０に記憶されているリファレンスＤＢ５３は、楽曲ごとの主旋律の採点リファレンスデータであって、上記楽曲ＤＢ５１に記憶されているカラオケ楽曲と当該カラオケ楽曲の歌唱区間に合わせた歌唱者による歌唱を評価、分析するための評価基準として用いられる採点リファレンスデータとを紐付けて記憶するデータベースである。
【００３２】
上記反復再生制御手段３１は、演奏の反復再生の制御を担う処理プログラムの演奏制御部３１Ａ及び歌唱歌詞データの反復再生の表示の制御を担う処理プログラムの表示制御部３１Ｂを備え、利用者により指定された楽曲データに基づいて、当該楽曲の所定の歌唱区間毎に、基準歌唱者に歌唱させるカラオケ演奏を制御すると共に当該楽曲データに含まれる歌唱歌詞データの演奏の進行に伴う色変え表示を制御し、続いて同じ歌唱区間を所定数の比較歌唱者に繰り返して歌唱させるカラオケ演奏及び歌唱歌詞データの色変え表示を制御する基本構成のプログラムである。
【００３３】
ここで、楽曲の所定の歌唱区間とは、ここでは表示部１３に表示させる歌唱歌詞データの一画面分に相当する区間としている。また、この歌唱区間のカラオケ演奏制御では、基準歌唱者の歌唱に続く比較歌唱者の設定された人数に応じて繰り返して再生する。なお、繰り返し演奏の際に、一の歌唱区間の再生の度に、歌唱歌詞データの色変えの表示形態を変えて表示制御することとしてもよく、また演奏テンポを設定し直してカラオケ演奏を制御することとしてもよい。
【００３４】
一方、反復再生制御手段３１は、リファレンスデータ生成手段３２に基準歌唱者の歌唱を基にしてリファレンスデータ生成を開始させるプログラムをも備える。所定の歌唱区間の再生の繰り返しにおいて入力されるいずれの音声信号を基準歌唱者とするかは、ここでは当該歌唱区間の最初に入力した音声信号を基準歌唱者と識別することとしているが、他の識別方法については図４で説明する。
【００３５】
上記リファレンスデータ生成手段３２は、反復再生制御手段３１からの指令に応じて、基準歌唱者による歌唱の音声信号から、少なくとも歌唱の音量及び音高を検出してリファレンスデータを生成してＲＡＭ２３の生成リファレンスデータ４２として記憶するプログラムである。なお、リファレンスデータ生成に際して、後述の反復再生モードのうち、ゲームモードが選択され場合には歌唱タイミングをも含めてリファレンスデータを生成してもよい。
【００３６】
上記比較評価処理手段３３は、リファレンスデータ生成手段３２で生成されてＲＡＭ２３に記憶された生成リファレンスデータ４２を読み出し、比較歌唱者による歌唱の音声信号（当該歌唱区間での２番目に入力した音声信号）から、少なくとも歌唱の音量及び音高を検出し、当該生成リファレンスデータ４２と比較して評価し、映像表示制御手段２４に出力して表示部１３で表示させるプログラムである。
【００３７】
ここで、図２に、図１の遠隔入出力装置による反復再生のモード選択に関する説明図を示す。まず、利用者が遠隔入出力装置１７において楽曲選曲を選択すると選曲楽曲登録手段１７Ａが実行され、図２（Ａ）に示すように、歌唱モード選択の画面がリモコン表示部１７Ｃ上に表示される。利用者がカラオケモードを選択した場合には、従前のカラオケ装置と同様であり、説明を省略する。
【００３８】
利用者が反復再生モードを選択すると、図２（Ｂ）に示すように、教習かゲームモードとしてのものまねゲームかを選択し、基準歌唱者の存在を前提として比較歌唱者の人数を入力する画面が表示される。ここでは、教習が選択され、比較歌唱者の人数を１人として入力された場合として説明する（ものまねゲームの選択については図５及び図６で説明する）。
【００３９】
「教習」のモードが選択され、比較歌唱者の人数を１人として入力されて「選曲画面へ」の操作ボタンがクリックされると、従前と同様の楽曲選曲画面が表示されて利用者が一の楽曲を候補とした画面が図２（Ｃ）のように表示される。当該楽曲を歌唱教習とすると、「演奏開始」の操作ボタン１７Ｄがクリックされることで、選曲された楽曲の楽曲ＩＤと共に歌唱モード（反復再生モードの教習モード）の情報信号がカラオケ本体１２に送信される。当該「演奏開始」の操作ボタン１７Ｄの操作が利用者の楽曲演奏開始の指示となる。
【００４０】
そこで、図３に、本発明に係るカラオケ装置における第１実施形態としての反復再生による歌唱教習のフローチャートを示す。ここで、基準歌唱者及び比較歌唱者のそれぞれの歌唱に際して、１本のマイク１５を使用して交互に歌唱してもよく、また、互いに２本のマイク１５をそれぞれ別個に使用して歌唱してもよい。まず、遠隔入出力装置１７よりカラオケ本体１２の送受信部２９が上記楽曲ＩＤ及び歌唱モードの情報信号を受信すると、反復再生制御手段３１が、楽曲演奏開始の指示に従い、楽曲ＤＢ５１より当該楽曲ＩＤの楽曲データを抽出する。
【００４１】
当該楽曲データに含まれる演奏データ及び歌唱歌詞データを、演奏制御部３１Ａ及び表示制御部３１Ｂにおいて当該歌唱歌詞データの一画面分の表示範囲を歌唱区間と認定して、まず前奏部分の演奏データを音楽演奏制御部２５に出力して開始させると共に、最初の歌唱区間の歌唱歌詞を例えば水色表示として映像表示制御手段２４に出力して表示部１３上に表示させる（ステップ１（Ｓ１））。
【００４２】
前奏が終了し（Ｓ２）、演奏制御部３１Ａにより最初の歌唱区間の演奏データが音楽演奏制御部２５に出力されることで開始され（Ｓ３）、歌唱歌詞の水色表示の色変えと共に基準歌唱者である歌唱指導者が歌唱する（Ｓ４）。当該最初の歌唱区間の演奏開始に伴い、リファレンスデータ生成手段３２が、その間の歌唱指導者が歌唱した歌唱音声信号を音声信号入力部２７で入力し、Ａ／Ｄ変換された音声信号に対して音高、音量を抽出してリファレンスデータを生成していく（Ｓ５）。
【００４３】
当該歌唱区間が終了すると（Ｓ６）、リファレンスデータ生成手段３２は生成したリファレンスデータをＲＡＭ２３に生成リファレンスデータ４２として一時記憶し、表示制御部３１Ｂが当該歌唱区間の同じ歌唱歌詞データを例えば橙色表示として映像表示制御手段２４に出力して表示部１３上に表示させると共に、演奏制御部３１Ａが最初に戻って同じ歌唱区間の演奏データを音楽演奏制御部２５に出力して演奏を開始させる（Ｓ７）。
【００４４】
表示制御部３１Ｂによる橙色歌詞表示の色変えと共に当該歌唱区間の２回目のカラオケ演奏に合わせて比較歌唱者である歌唱練習者が歌唱すると、比較評価処理手段３３がＲＡＭ２３より生成リファレンスデータ４２を読み出し、その間に音声信号入力部２７に入力される歌唱練習者の歌唱音声信号から音高と音量を抽出し、当該生成リファレンスデータ４２と比較して採点処理していく（Ｓ８）。
【００４５】
当該歌唱区間の歌唱練習者による歌唱が終了すると（Ｓ９）、比較評価処理手段３３が、採点結果の比較評価を映像表示制御手段２４に出力して表示部１３上に表示させる（Ｓ１０）。次の歌唱区間が存在しなければ終了し、存在すれば（Ｓ１１）、表示制御部３１Ｂが次の歌唱区間の歌唱歌詞データを歌唱指導者の歌唱として水色表示で映像表示制御手段２４に出力して表示部１３上に表示させると共に、演奏制御部３１Ａが当該次の歌唱区間の演奏データを音楽演奏制御部２５に出力して演奏を開始させる（Ｓ１２）。そして、最後の歌唱区間までＳ４〜Ｓ１０を繰り返すものである。
【００４６】
なお、採点結果の比較評価の表示を歌唱区間ごとに行う場合として示したが、全歌唱区間の歌唱が終了した時点で表示させることとしてもよい。また、カラオケ演奏のテンポを、１回目の歌唱指導者による歌唱と２回目の歌唱練習者の歌唱とで変更してもよい。一の歌唱区間を繰り返す毎に演奏のテンポを変更することにより、歌唱練習者はお手本の歌唱指導者による歌唱を聴き易いテンポで聴き、自己が歌唱し易いテンポで歌唱することができるものである。
【００４７】
さらに、比較評価処理手段３３において、シャウト、ビブラート、ロングトーン、しゃくり、フォール、こぶしなどの歌唱技法を検出する手段を備えて、歌唱指導者の音声信号から歌唱技法が検出された場合には、歌唱練習者の音声信号から同じ歌唱技法が検出されたかどうか判定してもよく、両者の特徴を比較評価してもよい。当該検出、評価には従来技術を用いることができ、例えば、特開２００８−２６８３７０号公報にはこぶしの検出に関する技術が、特開２０１２−０７８７０１号公報にはシャウトの検出に関する技術が開示されている。
【００４８】
ところで、図２（Ｂ）において、比較歌唱者（歌唱練習者）の人数を１人として説明したが、２人以上の場合には、Ｓ７〜Ｓ１０までを当該人数分繰り返して実行されるものである。
【００４９】
続いて、図４に、図３の歌唱者識別に対する他の形態の一部ブロック構成図を示す。上記形態では、基準歌唱者及び比較歌唱者を識別する歌唱者識別手段として、一の歌唱区間を繰り返して演奏、表示させる際に、最初の演奏、表示による歌唱を基準歌唱者（歌唱指導者）が歌唱するものとし、２回目以降の歌唱を比較歌唱者（歌唱練習者）の歌唱として説明したが、本形態では基準歌唱者（歌唱指導者）の使用するマイク１５と比較歌唱者（歌唱練習者）が使用するマイク１５を異ならせて、使用するマイク１５によって識別させることとしたものである。
【００５０】
すなわち、図４において、カラオケ装置１１には複数のマイク１５（１５Ａ〜１５Ｎ）が用意され、基準歌唱者（歌唱指導者）の使用するマイク１５を予め設定しておくものである。当該各マイク１５には音声信号と共にマイク識別信号を出力させ、新たに設けた歌唱者識別手段としてのマイク識別手段６１のプログラムにより何れのマイク１５から入力される音声信号化を識別させるものである。
【００５１】
そして、マイク識別手段６１が、音声信号入力部２７で入力したマイク識別信号により基準歌唱者（歌唱指導者）の使用するマイク１５と識別した場合に、入力した音声信号からリファレンスデータ生成手段３２がリファレンスデータを生成してＲＡＭ２３に生成リファレンスデータ４２として一時記憶させ、他のマイク１５より入力した音声信号を比較歌唱者（歌唱練習者）と識別して比較評価処理手段３３が比較評価を行うものである。このことは、以下の第２実施形態においても同様である。
【００５２】
次に、図５に本発明に係るカラオケ装置における反復再生の第２実施形態のモード選択に関する説明図を示すと共に、図６に本発明に係るカラオケ装置における第２実施形態としての反復再生によるゲーム態様のフローチャートを示す。この第２実施形態は、図５に示すように、利用者が遠隔入出力装置１７を用いて選曲する際に、図２（Ａ）に示す反復再生モードを選択し、反復再生モードの設定画面で「ものまねゲーム」が選択され、比較歌唱者が２人に設定された場合としたものである。
【００５３】
図６において、Ｓ２１〜Ｓ２９は図３のＳ１〜Ｓ９と同様であり、簡単に説明すると、演奏開始から前奏部分では出題者としての基準歌唱者の歌唱に対する水色表示として表示させ（Ｓ２１）、前奏が終了し（Ｓ２２）、最初の歌唱区間の演奏データが開始されると（Ｓ２３）、歌唱歌詞の水色表示の色変えと共に基準歌唱者の歌唱に対して（Ｓ２４）、リファレンスデータを生成していき（Ｓ２５）、当該歌唱区間が終了した時点で（Ｓ２６）、生成したリファレンスデータを生成リファレンスデータ４２として一時記憶し、同じ歌唱歌詞データを橙色表示で表示させると共に、同じ歌唱区間の演奏を開始させる（Ｓ２７）。そして、第１比較歌唱者が歌唱するとその間に音声信号入力部２７に入力される歌唱練習者の歌唱音声信号から音高と音量を抽出して生成リファレンスデータ４２と比較し（Ｓ２８）、当該歌唱区間の歌唱が終了した時点で（Ｓ２９）、第１比較歌唱者の第１採点処理による第１採点結果を保持する。
【００５４】
当該歌唱区間が終了すると（Ｓ２９）、表示制御部３１Ｂが当該歌唱区間の同じ歌唱歌詞データを黄色表示として映像表示制御手段２４に出力して表示部１３上に表示させると共に、演奏制御部３１Ａが最初に戻って同じ歌唱区間の演奏データを音楽演奏制御部２５に出力して演奏を開始させる（Ｓ３０）。
【００５５】
表示制御部３１Ｂによる黄色歌詞表示の色変えと共に当該歌唱区間の３回目のカラオケ演奏に合わせて第２比較歌唱者が歌唱すると、比較評価処理手段３３がＲＡＭ２３より生成リファレンスデータ４２を読み出し、その間に音声信号入力部２７に入力される第２比較歌唱者の歌唱音声信号から音高と音量を抽出し、当該生成リファレンスデータ４２と比較して第２採点処理していく（Ｓ３１）。
【００５６】
当該歌唱区間の第２比較歌唱者による歌唱が終了すると（Ｓ３２）、比較評価処理手段３３が、保持した第１採点結果と第２採点結果とを比較して評価を映像表示制御手段２４に出力して表示部１３上に表示させる（Ｓ３３）。次の歌唱区間が存在しなければ終了し、存在すれば（Ｓ３４）、表示制御部３１Ｂが次の歌唱区間の歌唱歌詞データを基準歌唱者（出題者）の歌唱として水色表示で映像表示制御手段２４に出力して表示部１３上に表示させると共に、演奏制御部３１Ａが当該次の歌唱区間の演奏データを音楽演奏制御部２５に出力して演奏を開始させる（Ｓ３５）。そして、最後の歌唱区間までＳ２４〜Ｓ３３を繰り返すものである。
【００５７】
一方、比較歌唱者の人数が３人以上の場合であっても、歌唱歌詞データの表示形態（色表示）を変えて同じ歌唱区間の演奏、歌唱歌詞の表示を繰り返し、一の歌唱区間毎に比較歌唱者同士を比較評価して表示するものである。
【００５８】
なお、上記形態では、リファレンスデータ生成手段３２におけるリファレンスデータ生成の際に音高、音量を生成要素とし、比較評価処理手段３３における採点処理を音高、音量を採点要素としたが、特にものまね評価として歌唱タイミングをリファレンスデータ生成の要素とし、また採点要素としてもよい。さらに、歌唱技法についてもリファレンスデータ生成の要素とし、また採点要素としてもよいものである。
【００５９】
また、上記形態では、一の歌唱区間毎に比較歌唱者同士を比較評価して表示する場合を示したが、各比較歌唱者の歌唱ごとに基準歌唱者との比較評価を表示することとしてもよいものである。
【００６０】
このように、カラオケ演奏を所定の歌唱区間毎に基準歌唱者の歌唱と比較歌唱者の歌唱とで繰り返して基準歌唱者の歌唱と比較歌唱者の歌唱とを比較評価することで比較歌唱者が基準歌唱者の歌唱通りに歌唱できたかどうかを確認することができ、基準歌唱者の歌唱を基準とする伝統的な声楽レッスンのような歌唱練習用としての利用形態と共に、複数の比較歌唱者同士の歌唱評価を比較する歌唱ゲームとしての利用形態をも提供することができるものである。
【００６１】
また、設定された比較歌唱者の人数に応じて、基準歌唱者の歌唱区間の歌唱に続いて当該比較歌唱者の歌唱する同じ歌唱区間のカラオケ演奏及び歌唱歌詞データの色変え表示の制御を繰り返すことから、基準歌唱者と比較歌唱者とが交互に歌唱し易くさせることができるものである。さらに、一の歌唱区間を繰り返す毎に歌詞の色などの表示態様を変えるので、複数の歌唱者のそれぞれが、自己が歌唱する順番を把握することができるものである。
【産業上の利用可能性】
【００６２】
本発明のカラオケ装置は、カラオケの基本的機能を備えたカラオケ端末及びカラオケ用のサーバの製造、使用、販売等の産業に利用可能である。
【符号の説明】
【００６３】
１１            カラオケ装置
１２            カラオケ本体
１３            表示部
１７            遠隔入出力装置
２４            映像表示制御手段
２５            音楽演奏制御部
２７            音声信号入力部
３１            反復再生制御手段
３２            リファレンスデータ生成手段
３３            比較評価処理手段
４２            生成リファレンスデータ
６１            マイク識別手段
【図１】
0006425560.tif 000002
【図２】
0006425560.tif 000003
【図３】
0006425560.tif 000004
【図４】
0006425560.tif 000005
【図５】
0006425560.tif 000006
【図６】
0006425560.tif 000007